(57)【要約】【課題】簡単且つ確実に追加ファイリングできるカルテ等に最適なシートを提案する。【解決手段】シート１は、同一表面１ａにのり２と剥離剤３を塗布し且つこれらのりと剥離剤の間で山折り４にして背中合わせにし、この背中合わせにしたのり部分と剥離剤部分とを重ねるようにして複数枚積層させることを特徴とする。この、のり部分と他のシートの剥離剤部分とを重ね合わせ積層させた束にして提供されるシートは、使用時に一枚ずつ取り外し、その山折り部分をのばして重ね合わせると、このときには、相手のシートの裏面にのり部分が直接接触して着実に貼り付けられる。【選択図】  図１
0003105667.tif 000002
【実用新案登録請求の範囲】
【請求項１】
同一表面にのりと剥離剤を塗布し且つこれらのりと剥離剤の間で山折りにして背中合わせにし、この背中合わせにしたのり部分と剥離剤部分とを重ねるようにして複数枚積層させることを特徴とするシート。
【請求項２】
山折り部分の外側にのりを且つ内側に剥離剤をそれぞれ塗布した請求項１記載のシート。
【請求項３】
のりを、四角形状に点在させて塗布してある請求項１又は請求項２記載のシート。
【請求項４】
のりを、円形状に点在させて塗布してある請求項１又は請求項２記載のシート。
【請求項５】
同一表面にのりを外側に且つ剥離剤を内側にして塗布し、これらのりと剥離剤の間で山折りにして背中合わせにし、この背中合わせにしたのり部分と剥離剤部分とを重ねるようにして複数枚積層させることを特徴とするシート。
【考案の詳細な説明】
【技術分野】
【０００１】  本考案は、カルテなどの追加ファイリングが必要とされるシートに関する。
【背景技術】
【０００２】  病院で使用されているカルテは、記入事項が増えていくに従って追加ファイリングされるが、そのカルテを追加する場合（追加するカルテを２号カルテという）、如何に簡単且つ確実にファイリングするかが重要である。そのために、特許文献１，２に示すような手法も提案されているが、広く普及するには至らず、現在では次のような４つの手法が病院に応じて使われている。【０００３】１．のりを２号カルテの側端部に塗布して貼り付けてしまう。…この手法では、手にのりがついてしまったり、周囲にはみ出して汚す、特に液状ののりの場合はのりを塗った部分が波打ってしまう等の問題がある。【０００４】２．両面テープを２号カルテの側端部に貼り付ける。…この手法では、両面テープの剥離紙がゴミとなる、コストが高い等の問題がある。【０００５】３．パンチで穴を開けてバインダに綴じる。…この手法では、患者によってカルテの使用量が違うので同一規格のバインダでは無駄が出てコスト的に不利、置き場所をとる等の問題がある。【０００６】４．単に袋に入れるだけ、あるいはファイル用具の間に挟んでおくだけ。…この手法では、脱落して紛失する等の問題がある。【０００７】
【特許文献１】  実開平７−４０１７７号
【特許文献２】  特開平１０−５８８７９号
【考案の開示】
【考案が解決しようとする課題】
【０００８】  以上のような背景に鑑みて本考案は、簡単且つ確実に追加ファイリングできるカルテ等に最適なシートを提案するものである。
【課題を解決するための手段】
【０００９】  本考案のシートは、同一表面にのりと剥離剤を塗布し且つこれらのりと剥離剤の間で山折りにして背中合わせにし、この背中合わせにしたのり部分と剥離剤部分とを重ねるようにして複数枚積層させることを特徴とする。この、のり部分と他のシートの剥離剤部分とを重ね合わせ積層させた束にして提供されるシートは、使用時に一枚ずつ取り外し、その山折り部分をのばして重ね合わせると、このときには、相手のシートの裏面にのり部分が直接接触して着実に貼り付けられる。【００１０】  このシートでは特に、山折り部分の外側にのりを且つ内側に剥離剤をそれぞれ塗布するのが好ましい。すなわち、山折り部分をのばして貼り付けた際に、その山折れ線よりも外側が貼り付けられることになり、予め頁のめくり線が入った状態となって、冊子状となったシートをめくりやすい。
【考案の効果】
【００１１】
【００１２】  本考案によれば、提供時にはのりと他のシートの剥離剤とが重なっているので簡単に剥離でき且つファイリングしたときにはのりが直接相手面に接触し着実に接着する。つまり、付箋紙のように簡単に取り出して着実に追加ファイリングできるシートが提供され、２号カルテなど追加が必要なシートに最適である。【００１３】  本考案は、カルテを代用例として説明しているが、工場の点検記録や、会社の営業日報、メモ用紙等、追加ファイリングの用途をもつシートのいずれにも適用可能である。
【考案を実施するための最良の形態】
【００１４】
【００１５】  図１及び図２に、本考案のシートの実施例を示す。図１Ａは表面側からみたシートの斜視図、図１Ｂは裏面側からみたシートの斜視図、図２は、山折り部分を展開させた状態で示した一部拡大図を含んだ平面図である。【００１６】  図示のシート１は、表面１ａの側端部に、のり２と剥離剤３とが並列に塗布されており、そののり２と剥離剤３との間の山折り線４に沿って折り曲げられ、背中合わせにされている。なお、のり２と剥離剤３の外側／内側の位置関係は、図示の逆でも可能であるが、図３で後述するように、追加ファイルしたときに山折り線４が頁のめくり線となるので、図示の位置関係が好ましい。【００１７】  のり２は、所定幅の一直線状のものでもよいが、本例の場合、四角形状（ダイヤ型）にして点在させてあり、それぞれ角があることから剥離しやすい形状としてある。この他にも、より製造しやすい形状として円形状に点在させるようにしてもよい。あるいは、ダイヤ型の角を互いにつなげた鋸状とするような変形も可能である。一方の剥離剤３は、本例の場合、所定幅で一直線状に塗布されている。【００１８】  図１に示すように、このシート１は、山折り線４で山折りにして背中合わせにしたのり２と剥離剤３とが重なり合うようにして、複数枚を互いに積層した束として提供される。すなわち、のり２と剥離剤３とは、互いに他のシート１の剥離剤３とのり２とに接触している。そして、この束から一枚のシート１を剥がして取り出し、山折り部分をのばすと、図２に示すように、同一表面１ａにおいて、山折り線４を間に挟んで外側にのり２、内側に剥離剤３が配置された状態のシート１が現れる。その取り扱い方につき図３に示してある。【００１９】  まず図３Ａに示すように、シート１を積層束から一枚取り外し、表面１ａ側（つまり剥離剤３の側）を下に向けて貼り付け面Ｆに当接させ、シート１のファイル位置を位置決めする。継いで図３Ｂに示すように、片方の手を滑らせ、山折り線４で山折りされているのり２の塗布部分をのばし、のり２を貼り付け面Ｆに当接させて接着する。すると、図３Ｃに示す如く、山折り線４がめくり線となったシート１による頁が綴じられる。この後は、シート１の記入欄が満杯になる都度に別のシート１を束から取り出し、シート１の裏面に同様にして貼り付け、追加ファイリングすることができる。シート１の裏面には剥離剤等がないので、のり２により確実に接着される。
【図面の簡単な説明】
【００２０】
【図１】  本考案にかかるシートの斜視図。
【図２】  図１のシートを展開して示した側面図。
【図３】  図１のシートの取り扱い方を示した説明図。
【符号の説明】
【００２１】１  シート
２  のり
３  剥離剤
４  山折り線（山折り部分）
【図１】
0003105667.tif 000003
【図２】
0003105667.tif 000004
【図３】
0003105667.tif 000005